(57)【要約】【課題】  ピペットチップ等のパーツを効率よく整列供給するベルトコンベヤー。【解決手段】  ピペットチップ等のパーツをベルトコンベヤーで整列供給する際、ホッパーからベルトコンベヤーの一つの横桟に一方向のパーツのみ渡る横桟を形成し、且つ横桟と横桟のピッチはパーツの最大外径の２倍以内とし、この横桟を数列或いは多列に配列した後、逆方向のパーツ一個が渡る、左右逆にした横桟を数列或いは多列配列し、その配列を繰り返したベルトコンベヤーに出来るだけ少量のパーツが供給される様にホッパー内をセンサーで制御し、その制御を受けて少量づつ供給される補助ホッパーを有するベルトコンベヤー。【選択図】  図１
2006264971.tif 000002
【特許請求の範囲】
【請求項１】
ピペットチップ等のパーツの整列効率を上げるため、ピペットチップ等のパーツがベルトコンベヤーのホッパーに１〜２本、又は数本しか入らないように、ベルトコンベヤーのホッパーの底部にセンサーを取付けて制御し、別の補助ホッパーから少量ずつピペットチップ等のパーツが供給されるようにしたピペットチップ等用ベルトコンベヤー。
【請求項２】
ベルトコンベヤーのホッパー内に乱雑にあるピペットチップ等のパーツを一個づつ整列供給するベルトコンベヤーの横桟にあって、ベルトコンベヤーのホッパー内から一方向の横になったパーツ一個をこの横桟に渡らせ、逆方向の横になったパーツが横桟に渡らなくするため、逆方向のパーツが渡る横桟の部分を傾斜にし、更に邪魔板をその部分のベルトに張り付けるか、或いはベルトのその部分を他の部分より盛り上げて逆方向のパーツが渡らないようにし、また一方向の横になったパーツがこの横桟に渡りやすいように、又横桟に渡ったパーツが横桟から落ちないように横桟の端に返りを設け、パーツの整列効率を上げた請求項１のピペットチップ等用ベルトコンベヤー。
【請求項３】
上記ピペットチップ等用ベルトコンベヤーに一方向の横になったパーツ一個のみ渡る形状をした横桟を設け、数列或いは多列にその横桟を配列した後、逆方向の横になったパーツ一個が渡るよう、その横桟の形状を左右逆にした横桟を数列或いは多列に設け、その配列を繰り返すことにより整列能力の向上をはかり、横桟にパーツが上下に二ヶ重なって入らないように横桟と横桟のピッチは個々のパーツの最大外径の二倍以下とする請求項１と請求項２のベルトコンベヤー。
【発明の詳細な説明】
【技術分野】
【０００１】  本発明はピペットチップ等のパーツを効率よく整列供給するコンベヤーに関するものである。
【背景技術】
【０００２】  現在、ピペットチップ等のパーツを整列供給するコンベヤーはあるが効率が悪く、実用的でない物が多い。その理由として、ホッパーとベルトコンベヤーの横桟に問題があり、ピペットチップ等のパーツが横桟に渡らずに滞留し、又ホッパー内で横桟に攪拌せられて、効率の悪いものとなっている。  そのため現行人手でチップラックにピペットチップを差し込んで使用しているところが多い。
【特許文献１】特許第３３５６４０２号広報
【特許文献２】特開平８−２３３８３０号広報
【特許文献３】特開２００３−８３９８７号広報
【特許文献４】特開平１１−２８７８１０号広報
【特許文献５】特開２００３−８３９９９号広報
【特許文献６】特開２０００−１９１８２号広報
【発明の開示】
【発明が解決しようとする課題】
【０００３】  解決しようとする問題点はピペットチップ等のパーツがベルトコンベヤーのホッパーから横桟に渡らず、効率よく一本づつ整列供給しづらい点である。
【課題を解決するための手段】
【０００４】  上記目的を達成するために請求項１に係わるベルトコンベヤーＥはピペットチップ等のパーツをベルトコンベヤーのホッパーＫに多数入れると整列効率が悪いので、１〜２本または、数本しか入らないように、ベルトコンベヤーのホッパーＫの底部にセンサーＧを取付けて制御し、別の補助ホッパーＦから少量ずつピペットチップ等のパーツが供給されることを特徴としている。【０００５】  上記目的を達成するために請求項２に係わるベルトコンベヤーはホッパー内に乱雑にあるピペットチップ等のパーツを一個づつ整列供給するベルトコンベヤーの横桟Ｑと横桟Ｒにあって、ベルトコンベヤーのホッパーＫ内の一方向の横になったパーツＪ一個をこの横桟に渡らせ、逆方向の横になったパーツＭを渡らせないため、パーツＭが渡る横桟の部分に傾斜Ａを付け、更に邪魔板Ｂをその部分のベルトに張り付けるか、或いはベルトのその部分を他の部分より盛り上げて、パーツＭが横桟に渡らないようにした。  更に一方向の横になったパーツがこの横桟Ｑと横桟Ｒに渡りやすいように、又横桟に渡ったパーツが横桟から落ちないように横桟の端に返りＤを設けて、パーツの整列効率を上げたことを特徴としている。【０００６】  上記目的を達成するために請求項３に係わるベルトコンベヤーは一方向の横になったパーツＪが一個のみ渡る形状をした横桟Ｑを設け、数列或いは多列にその横桟Ｑを配列した後、逆方向の横になったパーツＭが一個渡るよう、その横桟の形状を左右逆にした横桟Ｒを数列或いは多列に設け、その配列を繰り返すことにより整列能力の向上をはかった。
又、横桟にパーツが上下に二ヶ重なって入らないように横桟と横桟のピッチＰは個々のパーツの最大外径の二倍以下とすることを特徴としている。
【発明の効果】
【０００７】  ベルトコンベヤーのホッパーＫ内のピペットチップ等のパーツの本数を極力減らすことにより、又横桟の形状を変えることにより、又形状を変えた横桟の配置を変えることにより、さらに横桟と横桟のピッチを個々のパーツの最大外径の二倍以下とすることにより、整列効率が飛躍的に上がり、チップラック機や、検査機にピペットチップ等のパーツを自動供給出来るようになり、安価で自動化が可能になった。
【発明を実施するための最良の形態】
【０００８】  以下、添付図面を参照して本発明に係わるピペットチップ等のパーツ整列供給コンベヤーを説明する。  図１に示す実施例１はベルトコンベヤーのホッパーＫ内にパーツが多数有ると、ホッパーＫは前傾斜のため、パーツはそれぞれが横桟に渡ろうとして互いに邪魔をしあい、横桟には渡らず、空で横桟が上がっていき、効率が悪い。  パーツの整列効率を上げるため、ピペットチップ等のパーツが１〜２本または、数本しか入らないように、上記ベルトコンベヤーのホッパーＫの下部にセンサーＧを取付けて、別の補助ホッパーＦから少量ずつパーツが供給されるようにした。  ホッパーＫ内のピペットチップ等のパーツは少なければ少ないほど整列効率は良い。  本来補助ホッパーはホッパー内の容量が十分でないときに、それを補助するのが一般的用途だが、本件では上記のように使用することにより、整列効率が飛躍的に向上した。【０００９】  図２に示す実施例２はベルトコンベヤーのホッパーからベルトコンベヤーの横桟Ｑにピペットチップ等のパーツＪのみ渡って、逆方向のピペットチップ等のパーツＭがこの横桟に渡らないように、横桟に傾斜Ａを付け、更に邪魔板Ｂをその部分のベルトに張り付けるか、或いはベルトのその部分を他の部分より盛り上げて、逆方向のパーツＭが渡らないようにした。  この形状でピペットチップ等のパーツ一本が一つの横桟に渡るようになった。【００１０】  図３に示す実施例３は一方向の横になったピペットチップ等のパーツＪが一個のみ渡る形状をした横桟Ｑを設け、数列或いは多列にその横桟Ｑを配列した後、逆方向の横になったパーツＭが一個渡るよう、その横桟の形状を左右逆にした横桟Ｒを数列或いは多列に設け、その配列を繰り返すことにより整列能力の向上をはかった。  横桟にパーツが上下に二ヶ重なって入らないように横桟と横桟のピッチＰは個々のパーツの最大外径の二倍以下とすることにより、整列効率はさらに向上した。  又、一方向とその逆方向の間に緩衝用横桟として、いづれの方向のピペットチップ等のパーツもホッパーＫから渡らないよう、横桟を全面的な傾斜のＣの形状にすると更に効率が良くなる。【００１１】  図４に示す実施例４は一方向の横になったパーツが横桟に渡りやすいように、又横桟に渡ったパーツが横桟から落ちないように横桟の端に返りＤを設けて、パーツの整列効率を上げた。  又、Ｈのように裏面も斜めの形状にする事によってピペットチップ等のパーツが最上段からの落下時に素早く横桟から離れることが出来る。
【図面の簡単な説明】
【００１２】
【図１】  補助ホッパーＦの付いたベルトコンベヤーの側面の断面図である。（実施例１）
【図２】  コンベヤーのベルトを正面斜め横から見た図で、横桟の形状図。（実施例２）
【図３】  コンベヤーのベルトを正面斜め横から見た図で、横桟の配列図。（実施例３）
【図４】  コンベヤーのベルトを正面斜め横から見た図で、別の横桟の形状図。（実施例４）
【符号の説明】
【００１３】  Ａ  横桟の傾斜
Ｂ  横桟と横桟の間のベルトの形状
Ｃ  緩衝用横桟
Ｄ  返りのある横桟
Ｅ  コンベヤー本体
Ｆ  補助ホッパー
Ｇ  センサー
Ｈ  裏面斜め形状
Ｋ  ホッパー
Ｊ  一方向の横になったピペットチップ等のパーツ
Ｍ  反対方向の横になったピペットチップ等のパーツ
Ｐ  横桟と横桟の間のピッチ
Ｑ  ピペットチップ等のパーツＪが一個のみ渡る形状をした横桟
Ｒ  ピペットチップ等のパーツＭが一個のみ渡る形状をした横桟
【図１】
2006264971.tif 000003
【図２】
2006264971.tif 000004
【図３】
2006264971.tif 000005
【図４】
2006264971.tif 000006